(57)【要約】【課題】ウインドフレームの上辺部においてウエザーストリップがグラスランから下方に次第に離れるように延びている場合に、ウエザーストリップとグラスランとの間に水の浸入が可能な溝ができないようにする。【解決手段】グラスラン上辺部１１にドアパネルシールリップ２６を設ける。ドアパネルシールリップ２６に、下方への突出長さが長くなるように形成された徐変部２６Ｂを設ける。徐変部２６Ｂをウエザーストリップ５０の外側シールリップ５８に接触するように配置する。【選択図】図５
2020037369.tif 000002
【特許請求の範囲】
【請求項１】
自動車ドアのウインド開口を形成するように延びるウインドフレームに取り付けられ、該ウインドフレームとウインドガラスとの間をシールするグラスランと、
上記ウインドフレームにおける上記グラスランよりも車室内側に取り付けられるウエザーストリップとを備えた自動車ドア用シール構造において、
上記グラスランは、上記ウインドフレームのフレーム上辺部に沿って車両前後方向に延びるグラスラン上辺部を備え、
上記グラスラン上辺部は、上記フレーム上辺部のグラスラン取付板部が挿入される挿入溝を有するグラスラン本体を備え、
上記グラスラン本体は、上記グラスラン取付板部の上面に沿って延びる上板部と、上記グラスラン取付板部の下面に沿って延びる下板部と、上記上板部の車室外側の端部から上記下板部の車室外側の端部まで上下方向に延びる車室外側板部とを備え、
上記グラスラン本体には、上記上板部の車室内側から下方へ突出して上記フレーム上辺部に接触し、車両前後方向に延びるドアパネルシールリップが設けられ、
上記ウエザーストリップは、上記フレーム上辺部の上記グラスラン取付板部よりも車室内側において車室内側部分が車室外側部分に比べて下に位置するように形成された段差部の下側に取り付けられるとともに、該フレーム上辺部に沿って車両前後方向に延びるウエザーストリップ上辺部を備え、
上記ウエザーストリップ上辺部は、車体で圧縮されて弾性変形する中空シール部と、該中空シール部の車室外側から上方へ突出して上記グラスラン本体の上記上板部の車室内側の端面及び上記ドアパネルシールリップの車室内側に接触する外側シールリップとを備え、
上記ウエザーストリップ上辺部と上記グラスラン上辺部との車両前後方向中央部が略平行に車両前後方向に延びる一方、上記ウエザーストリップ上辺部は車両前後方向の一端部に近づけば近づくほど上記グラスラン上辺部から下方へ離れるように延び、
上記ドアパネルシールリップは、上記ウエザーストリップ上辺部が上記グラスラン上辺部から下方へ離れる手前の部分から、該ドアパネルシールリップにおける上記車両前後方向の一端部に近づくほど下方への突出長さが長くなるように形成された徐変部を有していることを特徴とする自動車ドア用シール構造。
【請求項２】
請求項１に記載の自動車ドア用シール構造において、
上記グラスラン上辺部における上記車両前後方向中央部は押出成形された押出成形部とされ、該押出成形部よりも上記車両前後方向の一端部寄りの部分は開閉動作する金型で成形された型成形部を有し、
上記型成形部に上記徐変部が設けられていることを特徴とする自動車ドア用シール構造。
【請求項３】
請求項１または２に記載の自動車ドア用シール構造において、
上記ドアパネルシールリップの上記徐変部は、下端部に近づけば近づくほど薄くなるように形成されていることを特徴とする自動車ドア用シール構造。
【請求項４】
請求項１から３のいずれか１つに記載の自動車ドア用シール構造において、
上記ドアパネルシールリップにおける上記徐変部の始点には、該ドアパネルシールリップの下端部から上方に延びる切れ込み部または切欠部が設けられていることを特徴とする自動車ドア用シール構造。
【請求項５】
請求項１から４のいずれか１つに記載の自動車ドア用シール構造において、
上記徐変部は、上記フレーム上辺部における上記段差部を構成している縦面部に対して車室内側から接触するように配置されていることを特徴とする自動車ドア用シール構造。
【請求項６】
請求項５に記載の自動車ドア用シール構造において、
上記ドアパネルシールリップにおける上記徐変部は、上記縦面部と上記外側シールリップとにより厚み方向に挟まれることを特徴とする自動車ドア用シール構造。
【発明の詳細な説明】
【技術分野】
【０００１】
本発明は、例えば自動車ドアのウインドフレームに配設されるグラスランを備えた自動車ドア用シール構造に関し、特にグラスランとは別体のウエザーストリップが設けられる構造の技術分野に属する。
【背景技術】
【０００２】
自動車の側部に設けられるドアとして複数のタイプがあるが、その一つとして、ウインドガラスの周縁部を保持するウインドフレームを有するドアがある。このウインドフレームを有するドアには、ウインドフレームとウインドガラスの周縁部との間をシールするためのグラスランが配設されている（例えば、特許文献１参照）。
【０００３】
特許文献１のグラスランは、ウインドフレームに対して車室外側から組み付けられるようになっている。これら文献に開示されているグラスランのようにウインドフレームに対して車室外側から組み付けられるグラスランは、ウインドフレームの一部を車室外側から覆って隠すヒドンタイプと呼ばれるものであり、例えば車両のデザイン上の要求等から採用される場合がある。
【０００４】
また、特許文献２では、ウインドフレームの車室内側に中空シール部を有する第１ウエザーストリップが設けられ、またウインドフレームの車室外側にシールリップ部を有する第２ウエザーストリップが設けられており、これらウエザーストリップによってウインドフレームの周縁部と車体の開口部との間をシールしている。第１ウエザーストリップの車室外側部分と、第２ウエザーストリップの車室内側部分とは互いに重なるように配置されている。
【先行技術文献】
【特許文献】
【０００５】
【特許文献１】登録実用新案第２５５５５２９号公報
【特許文献２】特開２００２−１０３９８４号公報
【発明の概要】
【発明が解決しようとする課題】
【０００６】
ところで、高いシール性を確保するために、ヒドンタイプのグラスランの車室内側に、特許文献２の第１ウエザーストリップのような中空シール部を有するウエザーストリップを設ける場合が想定される。
【０００７】
この場合、グラスランの車室内側部分にウエザーストリップの車室外側部分を接触させることによってグラスランとウエザーストリップとの間の止水性を確保したいという要求がある。その理由は、グラスランを超えてウエザーストリップ側まで雨水等が浸入すると車室への漏水の懸念が生じるからである。
【０００８】
そこで、例えば、図１０に示すように、ウインドフレーム３にグラスラン１０と、ウエザーストリップ５０とを取り付ける構造において、グラスラン１０の車室内側の端部に、ウインドフレーム３に接触するドアパネルシールリップ２６を設ける一方、ウエザーストリップ５０の車室外側の端部に外側シールリップ５８を設け、外側シールリップ５８をドアパネルシールリップ２６に接触させることでグラスラン１０とウエザーストリップ５０との間の止水性を確保する構造が考えられる。
【０００９】
しかしながら、フロントドアの場合、ウインドフレーム３の上辺部においては、グラスラン１０が車両後側へ直線的に延びる一方、ウエザーストリップ５０はウインドフレーム３の後端へ行くほど下に位置するように湾曲しながら延びる車両も一般的である。従って、図１０に示す断面よりも車両後側の断面を記載した図１１に示すように、ウエザーストリップ５０が図１０に示す位置（図１１では仮想線で示す位置）よりも下に位置することになる（図１１に実線で示す位置）。こうなると、ウエザーストリップ５０の外側シールリップ５８がウエザーストリップ５０のドアパネルシールリップ２６から離れてしまい、外側シールリップ５８とドアパネルシールリップ２６との間に溝２００ができ、この溝２００に雨水等が浸入して車室内に漏水するおそれがある。
【００１０】
また、図示しないが、リヤドアの場合、ウインドフレームの上辺部においては、グラスランが車両前側へ直線的に延びる一方、ウエザーストリップはウインドフレームの前端へ行くほど下に位置するように湾曲しながら延びる車両も一般的であるので、上述したような溝ができてしまい、雨水等が車室内に漏水するおそれがある。
【００１１】
本発明は、かかる点に鑑みてなされたものであり、その目的とするところは、ウインドフレームにグラスランとウエザーストリップを取り付け、ウインドフレームの上辺部においてウエザーストリップがグラスランから下方に次第に離れる（シール材同士が分かれる状態）ように延びている場合に、ウエザーストリップとグラスランとの間に水の浸入が可能な溝ができないようにして、車室内への漏水を抑制することにある。
【課題を解決するための手段】
【００１２】
上記目的を達成するために、第１の発明は、自動車ドアのウインド開口を形成するように延びるウインドフレームに取り付けられ、該ウインドフレームとウインドガラスとの間をシールするグラスランと、上記ウインドフレームにおける上記グラスランよりも車室内側に取り付けられるウエザーストリップとを備えた自動車ドア用シール構造において、上記グラスランは、上記ウインドフレームのフレーム上辺部に沿って車両前後方向に延びるグラスラン上辺部を備え、上記グラスラン上辺部は、上記フレーム上辺部のグラスラン取付板部が挿入される挿入溝を有するグラスラン本体を備え、上記グラスラン本体は、上記グラスラン取付板部の上面に沿って延びる上板部と、上記グラスラン取付板部の下面に沿って延びる下板部と、上記上板部の車室外側の端部から上記下板部の車室外側の端部まで上下方向に延びる車室外側板部とを備え、上記グラスラン本体には、上記上板部の車室内側から下方へ突出して上記フレーム上辺部に接触し、車両前後方向に延びるドアパネルシールリップが設けられ、上記ウエザーストリップは、上記フレーム上辺部の上記グラスラン取付板部よりも車室内側において車室内側部分が車室外側部分に比べて下に位置するように形成された段差部の下側に取り付けられるとともに、該フレーム上辺部に沿って車両前後方向に延びるウエザーストリップ上辺部を備え、上記ウエザーストリップ上辺部は、車体で圧縮されて弾性変形する中空シール部と、該中空シール部の車室外側から上方へ突出して上記グラスラン本体の上記上板部の車室内側の端面及び上記ドアパネルシールリップの車室内側に接触する外側シールリップとを備え、上記ウエザーストリップ上辺部と上記グラスラン上辺部との車両前後方向中央部が略平行に車両前後方向に延びる一方、上記ウエザーストリップ上辺部は車両前後方向の一端部に近づけば近づくほど上記グラスラン上辺部から下方へ離れるように延び、上記ドアパネルシールリップは、上記ウエザーストリップ上辺部が上記グラスラン上辺部から下方へ離れる手前の部分から、該ドアパネルシールリップにおける上記車両前後方向の一端部に近づくほど下方への突出長さが長くなるように形成された徐変部を有していることを特徴とする。
【００１３】
この構成によれば、ウインドフレームのグラスラン取付板部に対して車室外側からグラスラン上辺部が取り付けられ、また、ウインドフレームのグラスラン取付板部よりも車室内側にウエザーストリップ上辺部が取り付けられる。この状態で、ウエザーストリップ上辺部の外側シールリップがグラスラン上辺部のドアパネルシールリップの車室内側に接触する。
【００１４】
ここで、ウエザーストリップ上辺部とグラスラン上辺部との車両前後方向中央部は略平行に車両前後方向に延びているので、ウエザーストリップ上辺部の外側シールリップと、グラスラン上辺部のドアパネルシールリップとが接触して止水性が確保される。一方、ウエザーストリップ上辺部は、車両前後方向の一端部に近づけば近づくほどグラスラン上辺部から下方へ離れるように延びているので、この部分において止水性を確保できなくなるおそれがあるが、この発明では、ドアパネルシールリップの下方への突出長さが、ウエザーストリップ上辺部とグラスラン上辺部とが離れる手前の部分から、車両前後方向の一端部に近づくほど長くなっているので、車両前後方向の一端部寄りの部分においてもウエザーストリップ上辺部の外側シールリップと、グラスラン上辺部のドアパネルシールリップとが接触して止水性が確保される。
【００１５】
第２の発明は、上記グラスラン上辺部における上記車両前後方向中央部は押出成形された押出成形部とされ、該押出成形部よりも上記車両前後方向の一端部寄りの部分は開閉動作する金型で成形された型成形部を有し、上記型成形部に上記徐変部が設けられていることを特徴とする。
【００１６】
すなわち、徐変部は下方への突出長さが次第に長くなっている部分であることから、長手方向について断面形状が一様となっていない。このような部分を型成形部とすることで、徐変部が容易に得られるようになる。
【００１７】
第３の発明は、上記ドアパネルシールリップの上記徐変部は、下端部に近づけば近づくほど薄くなるように形成されていることを特徴とする。
【００１８】
この構成によれば、徐変部の厚みが下方へ向かって徐々に薄くなるので、ウエザーストリップとグラスランとの間に溝ができにくくなる。
【００１９】
第４の発明は、上記ドアパネルシールリップにおける上記徐変部の始点には、該ドアパネルシールリップの下端部から上方に延びる切れ込み部または切欠部が設けられていることを特徴とする。
【００２０】
この構成によれば、切れ込み部または切欠部が徐変部の始点の目印になるので、組付作業者が徐変部の始点を目視で把握しやすくなる。これにより、徐変部を車室内側に位置付けて下方へ突出した状態で組み付けることができる。
【００２１】
第５の発明は、上記徐変部は、上記フレーム上辺部における上記段差部を構成している縦面部に対して車室内側から接触するように配置されていることを特徴とする。
【００２２】
この構成によれば、徐変部がフレーム上辺部における段差部を構成している縦面部に接触することで、シール性が確保される。
【００２３】
第６の発明は、上記ドアパネルシールリップにおける上記徐変部は、上記縦面部と上記外側シールリップとにより厚み方向に挟まれることを特徴とする。
【００２４】
この構成によれば、ドアパネルシールリップにおける徐変部が、フレーム上辺部の段差部の縦面部と、外側シールリップとで挟まれるので、縦面部とドアパネルシールリップとの間、ドアパネルシールリップと外側シールリップとの間をそれぞれシールすることが可能になる。
【発明の効果】
【００２５】
第１の発明によれば、ウインドフレーム上辺部にグラスラン上辺部とウエザーストリップ上辺部を取り付け、ウエザーストリップ上辺部がグラスラン上辺部から下方に次第に離れるように延びている場合に、ウエザーストリップ上辺部の外側シールリップと、グラスラン上辺部のドアパネルシールリップとを接触させて止水性を確保することができる。
【００２６】
第２の発明によれば、徐変部を型成形部によって構成したので、容易に得ることができる。
【００２７】
第３の発明によれば、徐変部の厚みを下方に向かって徐々に薄くすることで、ウエザーストリップとグラスランとの間に溝ができにくくなり、止水性がより一層向上する。
【００２８】
第４の発明によれば、組付作業者が徐変部の始点を目視で把握しやすくなるので、徐変部を車室内側に位置付けて下方へ突出した状態で組み付けることができ、誤組付けを防止できる。
【００２９】
第５の発明によれば、ドアパネルシールリップにおける徐変部とフレーム上辺部の段差部の縦面部との間をシールすることができる。
【００３０】
第６の発明によれば、フレーム上辺部の段差部の縦面部とドアパネルシールリップとの間、ドアパネルシールリップと外側シールリップとの間をそれぞれシールすることができる。
【図面の簡単な説明】
【００３１】
【図１】本発明の実施形態に係る自動車ドア用シール構造が適用された自動車ドアの左側面図（車外側視）である。
【図２】自動車ドアのウインドフレームの後側上部の車室内側を斜め上方から見た斜視図である。
【図３】ウエザーストリップを取り外した状態の図２相当図である。
【図４】図３におけるIV−IV線断面図である。
【図５】図３におけるIV−IV線に相当する面で切断したグラスラン上辺部を車室内側から見た斜視図である。
【図６】図２におけるVI−VI線断面図である。
【図７】図２におけるVI−VI線に相当する面で切断したグラスラン上辺部及びウエザーストリップ上辺部を車室内側から見た斜視図である。
【図８】図２におけるVIII−VIII線断面図である。
【図９】本発明の実施形態に係る自動車ドア用シール構造が適用された自動車ドアの右側面図（車内側視）である。
【図１０】図２におけるVI−VI線の断面を示し、グラスランとウエザーストリップの前後方向中央部の位置関係を説明する図である。
【図１１】本発明を適用しない場合のグラスランとウエザーストリップの後端部近傍の位置関係を説明する図である。
【図１２】図２におけるXII−XII線断面図である。
【発明を実施するための形態】
【００３２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３３】
図１は、本発明の実施形態に係る自動車ドア用シール構造を備えた左側フロントドア（自動車ドア）１を車室外側（左側）から見た側面図である。この左側フロントドア１は、自動車（図示せず）の左側において前側に配設され、自動車の左側において前側に形成された開口部（図示せず）を開閉する。右側フロントドアは図示しないが左側フロントドアと対称に設けられている。また、図示しないが、左右のリヤドアにも本発明に係る自動車ドア用グラスランを設けることができる。また、ドアは、ヒンジ軸周りに開閉するドアに限られるものではなく、例えば車両前後方向にスライドするスライドドアであってもよい。
【００３４】
尚、この実施形態の説明では、車両前側を単に「前」といい、車両後側を単に「後」というものとする。
【００３５】
（自動車ドアの構造）
図１に示すように、左側フロントドア１は、該左側フロントドア１の略下半部を構成するドア本体２と、略上半部を構成するウインドフレーム３とを有している。ドア本体２の前端部は、図示しないが、上下方向に延びる回動軸を有するヒンジを介して車体のピラーに取り付けられている。ドア本体２は、鋼板等からなるインナパネル（図示せず）とアウタパネル２ａとで構成されており、内部には、昇降動作するウインドガラス４や、ウインドガラス４を昇降動作させるための昇降装置（図示せず）等が収容可能になっている。
【００３６】
ウインドフレーム３は、ウインドガラス４の周縁部を保持するサッシュとして機能するものであり、ウインド開口７を形成するように延びている。ウインドフレーム３によって形成されているウインド開口７がウインドガラス４によって開閉されるようになっている。この実施形態のウインドフレーム３は、図４や図８に示すように鋼板等をプレス成形してなるアウタパネル材５及びインナパネル材６を組み合わせて構成されたものである。尚、ウインドフレーム３は、例えばロール成形法によって構成されたものであってもよい。
【００３７】
図１に示すように、ウインドフレーム３は、フレーム上辺部３ａとフレーム後辺部３ｂとで構成されている。フレーム上辺部３ａは、ドア本体２の上縁における前部から後側へ延びており、後端に近づくほど上に位置するように湾曲している。フレーム後辺部３ｂは、ドア本体２の上縁における後部から上方へ延びている。フレーム後辺部３ｂの上端部と、フレーム上辺部３ａの後端部とが接続されてウインドフレーム３が構成されている。
【００３８】
尚、ウインドフレーム３の形状は図示した形状に限られるものではなく、全体的に上方へ向けて湾曲した形状であってもよいし、湾曲部の位置やフレーム上辺部３ａの傾斜角度曲率も車体のルーフ形状に対応するように任意に設定することができる。また、ウインドフレーム上辺部３ａの下部に上下方向に延びるフレーム前辺部（図示せず）を設けてもよい。また、ウインドフレーム上辺部３ａの前部下方には、ドアミラー（図示せず）が取り付けられるドアミラー取付部３ｄが設けられている。
【００３９】
図４に示すように、ウインドフレーム３のフレーム上辺部３ａには、車室外側へ延びるグラスラン取付板部８が形成されている。グラスラン取付板部８は、アウタパネル材５及びインナパネル材６の車室外側部分で構成されている。すなわち、アウタパネル材５の車室外側部分は略水平に延びるとともに前後方向に連続して延びている。インナパネル材６の車室外側部分も略水平に延びるとともに前後方向に連続して延びている。アウタパネル材５の車室外側部分の上面に、インナパネル材６の車室外側部分の下面を重ね合わせることでグラスラン取付板部８が構成されている。尚、グラスラン取付板部８は、アウタパネル材５及びインナパネル材６の両方で構成する以外に、アウタパネル材５及びインナパネル材６の一方のパネル材で構成することもできる。
【００４０】
フレーム上辺部３ａには、グラスラン取付板部８よりも車室内側に、車室内側部分が車室外側部分に比べて下に位置するように形成された段差部３ｅが設けられている。段差部３ｅは、縦面部３ｆと横面部３ｇとで構成されている。縦面部３ｆは上下方向に延びる面である。横面部３ｇは、縦面部３ｆの下端部から車室内側へ向かって延びる面である。フレーム上辺部３ａの前後方向中央部における縦面部３ｆは長さが殆ど一定で、前後方向に延びていて、グラスラン取付板部８に対する横面部３ｇの相対的な高さが殆ど変化していない。しかし、フレーム上辺部３ａの後側は、フレーム上辺部３ａの後端部に近づけば近づくほど縦面部３ｆの長さが長くなる。このため、グラスラン取付板部８に対する横面部３ｇの相対的な高さは、フレーム上辺部３ａの後端部に近づけば近づくほど下に位置する形状になっている。
【００４１】
また、ウインドフレーム３のフレーム後辺部３ｂの車室外側には、例えば樹脂製の板材からなるガーニッシュ９が取り付けられている。ガーニッシュ９は、フレーム後辺部３ｂの車室外面に沿って上下方向に延びており、該車室外面を覆う部材である。ガーニッシュ９の上端部は、フレーム上辺部３ａの後端部に達している。ガーニッシュ９は省略してもよい。
【００４２】
（自動車ドア用シール構造）
自動車ドア用シール構造は、左側フロントドア１のウインドフレーム３に取り付けられ、該ウインドフレーム３とウインドガラス４との間をシールするグラスラン１０と、ウインドフレーム３におけるグラスラン１０よりも車室内側に取り付けられるウエザーストリップ５０とを少なくとも備えている。尚、グラスラン１０及びウエザーストリップ５０以外の第３のシール材が設けられていてもよい。
【００４３】
（自動車ドア用グラスラン１０の構成）
図６に示すように、左側フロントドア用グラスラン１０は、ウインドフレーム３の少なくとも車室外側を覆い隠す、いわゆるヒドンタイプであり、詳細は後述するが、ウインドフレーム３のフレーム上辺部３ａに対して車室外側から組み付けられ、ウインドフレーム３とウインドガラス４との間をシールするためのシール材として機能する。左側フロントドア用グラスラン１０は、ウインドフレーム３の車室外側部分であるグラスラン取付板部８も覆うように形成されている。
【００４４】
図１に示すように、左側フロントドア用グラスラン１０は、グラスラン上辺部１１と、グラスラン前側縦辺部１２と、グラスラン後側縦辺部１３とを備えている。グラスラン上辺部１１、グラスラン前側縦辺部１２及びグラスラン後側縦辺部１３は一体化されている。グラスラン上辺部１１は、ウインドフレーム３の上部であるフレーム上辺部３ａに沿って前後方向に延びており、グラスラン取付板部８に組み付けられた状態でフレーム上辺部３ａに沿って湾曲している。
【００４５】
グラスラン前側縦辺部１２は、グラスラン上辺部１１の前端部から下方に延びている。グラスラン後側縦辺部１３は、グラスラン上辺部１１の後端部から下方へ延びている。グラスラン前側縦辺部１２及びグラスラン後側縦辺部１３の下側は、ドア本体２の内部に達するまで延びており、これらグラスラン前側縦辺部１２及びグラスラン後側縦辺部１３により、ウインドガラス４の前部及び後部がそれぞれ上下方向に案内される。
【００４６】
図４に示すように、左側フロントドア用グラスラン１０のグラスラン上辺部１１は、フレーム上辺部３ａのグラスラン取付板部８へ取り付けられる挿入溝１４を有するグラスラン本体２０と、該グラスラン本体２０の車室外側に組み付けられ、前後方向に延びるモール３０とを備えている。モール３０は、グラスラン上辺部１１を構成するグラスラン本体２０にのみ組み付けられており、グラスラン前側縦辺部１２及びグラスラン後側縦辺部１３にはモール３０が組み付けられないようになっている。尚、モール３０は無くてもよく、その場合は、後述する上側本体側嵌合部２３ａ及び下側本体側嵌合部２３ｂ等を省略すればよい。
【００４７】
グラスラン本体２０は、グラスラン取付板部８の上面に沿って延びる上板部２１と、グラスラン取付板部８の下面に沿って延びる下板部２２と、上板部２１の車室外側の端部から下板部２２の車室外側の端部まで上下方向に延びる車室外側板部２３とを有している。上板部２１、下板部２２及び車室外側板部２３は一体成形されている。
【００４８】
上板部２１と下板部２２との間に、グラスラン取付板部８に対して取り付けられる挿入溝１４が形成されている。挿入溝１４は、上板部２１の車室内側の端部と、下板部２２の車室内側の端部との間に開口しており、前後方向に延びている。挿入溝１４の底部は、車室外側板部２３によって構成されている。グラスラン取付板部８に対してグラスラン本体２０を取り付けた状態で、グラスラン取付板部８の車室外側の端部が、挿入溝１４の底部近傍に達するように、挿入溝１４の深さ及びグラスラン取付板部８の車室内外方向の寸法（左右方向の寸法）が設定されている。
【００４９】
上板部２１、下板部２２及び車室外側板部２３は、曲げ弾性率が２０００ＭＰａ以上５０００ＭＰａ以下の高剛性材料で構成されている。このような高剛性材料としては、例えば硬質樹脂（例えばタルクやガラス繊維を混合したポリプロピレン）等を使用することができるが、これらに限られるものではなく、他の材料や各種複合材料等を使用することもできる。上板部２１、下板部２２及び車室外側板部２３を上記高剛性材料で構成することにより、上板部２１、下板部２２及び車室外側板部２３の剛性が高まり、特に上板部２１及び下板部２２の開きを抑制することができる。これにより、グラスラン取付板部８に対してグラスラン本体２０を取り付けた状態で、グラスラン取付板部８を上板部２１及び下板部２２によって厚み方向にしっかりと挟持することができ、左側フロントドア用グラスラン１０がグラスラン取付板部８から外れにくくなり、左側フロントドア用グラスラン１０の固定強度を十分に高めることができる。
【００５０】
上板部２１の下面には、下方へ突出する複数の上側係合突起２１ａが車室内外方向に互いに間隔をあけて形成されている。上側係合突起２１ａの下端部はグラスラン取付板部８の上面に接触するように形成することができる。車室内側に位置する上側係合突起２１ａには、グラスラン取付板部８の上面から上方へ突出する切り起こし部８ａに対して車室外側から当接して係合するようになっている。これにより、左側フロントドア用グラスラン１０がグラスラン取付板部８から外れにくくなる。
【００５１】
下板部２２の上面には、上方へ突出する複数の下側係合突起２２ａが車室内外方向に互いに間隔をあけて形成されている。下側係合突起２２ａの上端部はグラスラン取付板部８の下面に接触するように形成することもできる。下側係合突起２２ａの上端部と、上側係合突起２１ａの下端部との上下方向の距離は、グラスラン取付板部８の厚みと同程度にしてもよいし、組み付けしやすさを考慮し、若干広くしてもよい。
【００５２】
グラスラン本体２０の車室外側の上部には、自動車の車体１００に接触することによって車室外側に向けて撓む上側シールリップ２４が上方へ突出するように設けられている。上側シールリップ２４の基端部は、上板部２１の上面の車室外側部分に固着され、一体化されている。上側シールリップ２４が自動車の車体１００と接触していないとき、即ち、左側フロントドア１が開状態にあるときには、図４に示すように略真上に向けて突出する形状である。一方、上側シールリップ２４が自動車の車体１００と接触しているとき、即ち、左側フロントドア１が閉状態にあるときには、図示しないが、車体１００によって車室外側の斜め下方へ押されることによって先端部が基端部よりも車室外側に位置するように弾性変形して車体１００に密着する。これにより、上側シールリップ２４によるシール性が得られる。車体１００は、例えばボディパネル等である。
【００５３】
グラスラン本体２０の車室内側の上部には、自動車の車体１００に接触することによって車室外側に向けて撓む内側シールリップ２５が車室外側の斜め上方へ突出するように設けられている。内側シールリップ２５の基端部は、上板部２１の上面の車室内側部分に固着され、一体化されている。内側シールリップ２５が自動車の車体１００と接触していないとき、即ち、左側フロントドア１が開状態にあるときには、図４に示すように車室外側の斜め上方へ突出する形状である。一方、内側シールリップ２５が自動車の車体１００と接触しているとき、即ち、左側フロントドア１が閉状態にあるときには、図示しないが、車体１００によって車室外側の斜め下方へ押されることによって先端部が上側シールリップ２４の基端部に接近するように弾性変形して車体１００に密着する。これにより、内側シールリップ２５によるシール性が得られる。
【００５４】
また、グラスラン本体の車室内側には、ドアパネルシールリップ２６が設けられている。ドアパネルシールリップ２６は、上板部２１の車室内側の端部から下方へ突出してフレーム上辺部３ａに接触し、前後方向に延びている。ドアパネルシールリップ２６は、上板部２１の車室内側の端部に固着され、一体化されている。ドアパネルシールリップ２６の詳細構造については後述する。また、上板部２１の車室内側の端部には、上方へ突出する凸部２１ｃが形成されている。
【００５５】
グラスラン本体２０の車室外側の下部には、下側シール部２７が下方へ突出するように設けられている。下側シール部２７の基端部は、下板部２２の下面の車室外側部分に固着され、一体化されている。下側シール部２７の下部は、車室内側へ向けて屈曲している。この下側シール部２７の下部は、閉状態のウインドガラス４の車室外側の面に接触するようになっている。
【００５６】
グラスラン本体２０の車室内側の下部には、下側シール部２８が下方へ突出するように設けられている。下側シール部２８の基端部は、下板部２２の車室内側の端面に固着され、一体化されている。下側シール部２８の下部は、車室内側へ向けて屈曲している。この下側シール部２８の下部は、ウインドフレーム３のアウタパネル材５に接触するようになっている。また、下側シール部２８は、閉状態のウインドガラス４の車室内側の面にも接触するようになっている。
【００５７】
下板部２２の下面には、下側シール部２７の基端部と、下側シール部２８の基端部との間に、中間シールリップ２９が設けられている。中間シールリップ２９の基端部は、下板部２２の下面における車室内外方向の中間部に固着され、一体化されている。中間シールリップ２９は、車室外側の斜め下方へ延びるように形成されており、閉状態のウインドガラス４の上端に接触するようになっている。
【００５８】
上側シールリップ２４、内側シールリップ２５、ドアパネルシールリップ２６、下側シール部２７、下側シール部２８及び中間シールリップ２９は、上記高剛性材料からなる部材（上板部２１、下板部２２及び車室外側板部２３）に一体化されているので、上記高剛性材料よりも柔らかく弾性変形し易い材料で構成しても組付時の形状維持性を確保できる。上側シールリップ２４、内側シールリップ２５、ドアパネルシールリップ２６、下側シール部２７、下側シール部２８及び中間シールリップ２９を構成する材料としては、例えばＥＰＤＭ（エチレンプロピレンジエンゴム）やＴＰＯ（オレフィン系熱可塑性エラストマー）等のように、弾性を有する材料を使用することができる。上記ＥＰＤＭやＴＰＯは、発泡材であってもよいし、非発泡材であってもよい。なお、上記高剛性材料をポリプロピレン等の硬質樹脂とした場合は、ＴＰＯを使用するのが、好ましい。
【００５９】
上側シールリップ２４、内側シールリップ２５、ドアパネルシールリップ２６、下側シール部２７、下側シール部２８及び中間シールリップ２９は、上板部２１、下板部２２及び車室外側板部２３と共に、グラスラン本体２０を構成する部分である。
【００６０】
図２や図３に示すように、グラスラン上辺部１１における前後方向中央部は押出成形された押出成形部１０Ａとされている。また、図２のIV−IV線断面である、図４は、断面形状全体が、押出成形部１０Ａで構成されている。
【００６１】
押出成形部１０Ａは、従来から周知の押出成形法により、前後方向について一様断面を有するように成形された部分である。例えば、押出成形法によって材料を長尺状に成形しておき、これを必要な長さに切断することによって押出成形部１０Ａを得ることができる。
【００６２】
グラスラン上辺部１１における押出成形部１０Ａよりも後端部寄りの部分は、開閉動作する金型（図示せず）で成形された型成形部１０Ｂを有している。型成形部１０Ｂを成形するための成形装置は、例えば上型と下型とを有するとともに、一方の型を他方に対して接離する方向に駆動する型駆動装置を有している。型成形部１０Ｂは、詳細については後述するが、一様断面にはなっていない。
【００６３】
押出成形部１０Ａと型成形部１０Ｂとの境界は、図２、図３や図５、図７に一点鎖線Ｌで示している。ドアパネルシールリップ２６の前後方向中央部は、押出成形部１０Ａで構成される一方、ドアパネルシールリップ２６の後端部寄りの部分は、型成形部１０Ｂで構成されている。このような構成にする方法は様々あるが、例えば、ドアパネルシールリップ２６の形状を含む長尺状の押出成形部１０Ａを得た後、この押出成形部１０Ａの後側におけるドアパネルシールリップ２６の形状部分を切除し、その後、押出成形部１０Ａの後側に、型成形部１０Ｂを一体成形する方法がある。これにより、押出成形部１０Ａで構成されるドアパネルシールリップ２６と、型成形部１０Ｂで構成されるドアパネルシールリップ２６とが連続した形態で得られるようになる。
【００６４】
図１に示す上記モール３０は、車両のデザインの一部として用いられる部材であり、一般的には、ステンレスやアルミニウム等の硬質部材で構成されている。この実施形態では、ステンレス製の板材で構成されている。モール３０は、グラスラン本体２０に沿って前後方向に長く延びる形状とされており、該モール３０の前端部はウインドフレーム３のフレーム上辺部３ａの前端部近傍に位置し、該モール３０の後端部はウインドフレーム３のフレーム上辺部３ａの後端部近傍に位置している。
【００６５】
図４に示すように、モール３０の上部及び下部には、グラスラン本体２０の車室外側に嵌合する上部及び下部モール側嵌合部３１、３２が前後方向に延びるように形成されている。上部モール側嵌合部３１は、車室内側へ向けて折り曲げられた後、下方へ屈曲するように形成されており、下方に開放する形状となっている。下部モール側嵌合部３２は、車室内側へ向けて折り曲げられた後、上方へ屈曲するように形成されており、上方に開放する形状となっている。モール３０における上部モール側嵌合部３１と下部モール側嵌合部３２との間の部分は、意匠部３３とされている。この意匠部３３は、車室外側へ向けて緩やかに湾曲している。
【００６６】
グラスラン本体２０の車室外側には、上部モール側嵌合部３１及び下部モール側嵌合部３２がそれぞれ嵌合する上側本体側嵌合部２３ａ及び下側本体側嵌合部２３ｂが前後方向に延びるように形成されている。すなわち、グラスラン本体２０の車室外側板部２３の車室外面には、基部２３ｃが車室外側へ突出するように形成されている。この基部２３ｃは、車室外側板部２３の車室外面の上下方向中央部近傍に位置付けられていて、前後方向に連続している。
【００６７】
上側本体側嵌合部２３ａ及び下側本体側嵌合部２３ｂは、グラスラン本体２０の前端部から後端部まで連続して延びており、後述するモール３０を組み付ける際に、当該モール３０を前後方向に案内するレールとしても機能するレール状部分である。
【００６８】
図４に示すように、モール３０の上部モール側嵌合部３１は、グラスラン本体２０の上側本体側嵌合部２３ａを上方から囲むように配置され、この状態で、上部モール側嵌合部３１が上側本体側嵌合部２３ａに嵌合する。また、モール３０の下部モール側嵌合部３２は、グラスラン本体２０の下側本体側嵌合部２３ｂを下方から囲むように配置され、この状態で、下部モール側嵌合部３２が下側本体側嵌合部２３ｂに嵌合する。上部モール側嵌合部３１及び下部モール側嵌合部３２がそれぞれ上側本体側嵌合部２３ａ及び下側本体側嵌合部２３ｂに嵌合すると、上部モール側嵌合部３１及び下部モール側嵌合部３２の形状により、モール３０がグラスラン本体２０に対して車室内外方向及び上下方向に変位しないようになる。
【００６９】
この実施形態では、上側本体側嵌合部２３ａ及び下側本体側嵌合部２３ｂを車室外側板部２３に一体成形しているので、上側本体側嵌合部２３ａ及び下側本体側嵌合部２３ｂも高剛性材料で構成することができる。よって、上部モール側嵌合部３１及び下部モール側嵌合部３２がそれぞれ上側本体側嵌合部２３ａ及び下側本体側嵌合部２３ｂに嵌合した状態で、モール３０がグラスラン本体２０から外れにくくなる。
【００７０】
グラスラン本体２０の車室外側には、モール３０における車室外面の上部に接触する弾性材からなる上側接触部４０が形成されている。上側接触部４０は、上側シールリップ２４の基端部における車室外側の面から車室外側へ向けて突出するように設けられており、上側接触部４０と、上側シールリップ２４とは一体成形されている。上側接触部４０は、突出方向先端側（車室外側）へ向かって先細となるように形成されており、前後方向に連続して延びている。上側接触部４０の先端側の下面が、モール３０に対して上方から接触し、これにより、モール３０の上部とグラスラン本体２０の上部との間に隙間が無くなり、外観見栄えが良好になる。
【００７１】
上側接触部４０と上側シールリップ２４とが厚肉基端部２４ａを介して一体成形されているので、上側シールリップ２４が車室外方向に弾性変形すると、上側接触部４０が上側シールリップ２４の変形量及び変形方向に対応して若干量変位することになる。例えば、上側シールリップ２４は、上述したように左側フロントドア１が開状態にあるときには略真上に向けて突出する形状であり、このとき、上側接触部４０の先端側の下面が、モール３０に対して上方から接触するように、上側接触部４０の位置及び形状が設定されている。また、左側フロントドア１が閉状態にあるときには上側シールリップ２４が車室外側の斜め下方へ向けて倒れるように弾性変形するが、厚肉基端部２４ａを介しているので、上側接触部４０が車室外側且つ下方へ向けて若干量変位する。これにより、上側接触部４０の先端側の下面が、モール３０に対して上方から若干強く接触するので、上側接触部４０とモール３０とをより密着させることができる。
【００７２】
また、グラスラン本体２０の車室外側には、上側接触部４０から下方に離れた部分に、モール３０における車室外面の下部に接触する弾性材からなる下側接触部４１が形成されている。下側接触部４１は、下側シール部２７の車室外側の面から車室外側へ膨出するように設けられており、下側接触部４１と下側シール部２７とは一体成形されている。下側接触部４１は、前後方向に連続して延びている。下側接触部４１が、モール３０に対して下方から接触し、これにより、モール３０の下部とグラスラン本体２０の下部との間に隙間が無くなり、外観見栄えが良好になる。
【００７３】
下側接触部４１と下側シール部２７とが一体成形されており、かつ、両者はいずれも基端部２７ａから下方に延設されているので、下側シール部２７が弾性変形すると、下側接触部４１が下側シール部２７の変形量及び変形方向に対応して変位することになる。例えば、下側シール部２７は、上述したようにウインドガラス４が閉状態にあるときに、ウインドガラス４の車室外面に接触するので、このときに車室外側へ向けて弾性変形する場合がある。これにより、下側接触部４１が車室外側に変位してモール３０に対して下方から強く接触することになるので、下側接触部４１とモール３０とを確実に密着させることができる。
【００７４】
また、グラスラン本体２０の車室外側には、モール３０の車室内面に接触する突起２３ｄが車室外側に向けて突設されている。突起２３ｄがモール３０の車室内面に接触することで、車室外側板部２３の広い範囲がモール３０に接触するのを回避することができる。突起２３ｄは、車室外側板部２３に一体成形することができる。
【００７５】
（摺動抵抗低減用の被膜）
この実施形態では、モール３０をグラスラン本体２０に対して一方の端部から、長手方向にスライドさせて組み付けるようにしており、この組付の際に、組付作業を作業者が手作業で行えるようにするために、モール３０の摺動抵抗を低減することが可能な構成を備えている。
【００７６】
すなわち、上側接触部４０におけるモール３０に接触する部分は、弾性を持った上側被膜４０ａを有している。この上側被膜４０ａは、モール３０に対する摺動抵抗が該上側接触部４０における該上側被膜４０ａによって覆われた部分を構成する弾性材よりも低く設定されている。具体的には、上側接触部４０における上側被膜４０ａによって覆われた部分は、上側シールリップ２４等と同様な弾性材で構成されているが、上側被膜４０ａは、オレフィン系樹脂にシリコンを混合することにより、動摩擦係数を、上側シールリップ２４等と同様な弾性材よりも小さくした材料からなる。尚、上側被膜４０ａの構成する材料は、オレフィン系樹脂にシリコンを混合したもの以外であってもよい。
【００７７】
上側被膜４０ａの動摩擦係数は０．５以下が好ましい。上側被膜４０ａの動摩擦係数は、混合するシリコンの量によって任意に変更することができる。一方、上側接触部４０における上側被膜４０ａによって覆われた部分を構成する弾性材の動摩擦係数は０．６程度である。
【００７８】
ここで、動摩擦係数の測定方法について説明する。動摩擦係数の測定方法は、特開平９−１２３７６１号公報に開示されている測定方法を利用することができ、上記動摩擦係数はこの測定方法によって得られた値である。測定機としては、新東科学株式会社製  表面性状測定機「ＨＥＩＤＯＮ−１４Ｄ」を用意し、板金時計皿を使用して動摩擦係数を測定した。すなわち、特開平９−１２３７６１号公報の図３に記載されているように、板金時計皿を試料の上面に対して荷重１ｋｇｆで押し付け、速度１０００ｍｍ／ｍｉｎで板金時計皿と試料とを相対移動させることによって動摩擦係数を測定する。
【００７９】
上側被膜４０ａの厚さは、０．１ｍｍ以上１．０ｍｍ以下に設定されている。上側被膜４０ａの厚さを０．１ｍｍ以上確保することで、モール３０に対する摺動抵抗が十分に低減される。また、上側被膜４０ａの厚さを１．０ｍｍ以下にすることで、上側被膜４０ａを有していることによる上側接触部４０の柔軟性低下が抑制される。
【００８０】
また、下側接触部４１におけるモール３０に接触する部分は下側被膜４１ａを有しており、該下側被膜４１ａは、モール３０に対する動摩擦係数が該下側接触部４１における該下側被膜４１ａによって覆われた部分を構成する弾性材よりも低く設定されている。この下側被膜４１ａは、上側被膜４０ａと同じ材料で構成されるとともに、同じ厚さに設定することもできる。尚、上側被膜４０ａ及び下側被膜４１ａは省略してもよい。
【００８１】
（自動車ドア用グラスランの組立方法）
次に、上記のように構成された左側フロントドア用グラスラン１０を組み立てる方法について説明する。グラスラン本体２０は、ウインドフレーム３に取り付けられる前において、フレーム上辺部３ａに沿って延びる部分（グラスラン上辺部１１）が直線状に形成されている。一方、モール３０は、ウインドフレーム３のフレーム上辺部３ａに沿うようにあらかじめ湾曲形成されている。
【００８２】
そして、モール３０の上部モール側嵌合部３１及び下部モール側嵌合部３２に対して、その長手方向一端部から、グラスラン本体２０の上側本体側嵌合部２３ａ及び下側本体側嵌合部２３ｂの長手方向一端部を嵌合させた後、モール３０に対してグラスラン本体２０を長手方向にスライドさせてグラスラン本体２０を組み付けるスライド組付工程を行う。
【００８３】
このスライド組付工程では、始めに、モール３０の上部モール側嵌合部３１及び下部モール側嵌合部３２の前端部に対して、グラスラン本体２０の上側本体側嵌合部２３ａ及び下側本体側嵌合部２３ｂの後端部を嵌合させる。上部モール側嵌合部３１及び下部モール側嵌合部３２に対して上側本体側嵌合部２３ａ及び下側本体側嵌合部２３ｂを嵌合した後、モール３０に対してグラスラン本体２０を前側へ向けてスライドさせていく。スライドさせるとき、上述したように、モール３０は湾曲しているが、グラスラン本体２０のグラスラン上辺部１１は直線状であるため、特に、モール３０の上部モール側嵌合部３１に対してグラスラン本体２０の上側接触部４０が強く接触する。また、モール３０の下部モール側嵌合部３２に対してグラスラン本体２０の下側接触部４１が接触することもある。
【００８４】
このとき、上側接触部４０におけるモール３０に接触する部分がモール３０に対する動摩擦係数が、上側接触部４０よりも低い上側被膜４０ａによって覆われているので、モール３０の上部と、上側接触部４０との間の摺動抵抗が低減する。また、下側接触部４１におけるモール３０に接触する部分が、モール３０に対する動摩擦係数が下側接触部４１よりも低い下側被膜４１ａによって覆われているので、モール３０の下部と、下側接触部４１との間の摺動抵抗も低減する。よって、作業者が手作業によってモール３０に対してグラスラン本体２０を容易に組み付けることが可能になるので、モール組付用の機械の導入が不要になる。モール３０の前端部がグラスラン本体２０のグラスラン上辺部１１の前端部まで達したところでスライド動作を停止する。以上のようにしてモール３０に対してグラスラン本体２０を組み付けることで左側フロントドア用グラスラン１０の組立作業が完了する。
【００８５】
尚、モール３０が上側に向けて湾曲しているので、モール３０の上部が下部に比べてグラスラン本体２０に強く接触することになる。従って、グラスラン本体２０には、上側被膜４０ａを少なくとも設けておけばよく、下側被膜４１ａを省略してもよい。
【００８６】
また、スライド組付工程において、モール３０に対してグラスラン本体２０をスライドさせる方法を説明したが、その逆で、グラスラン本体２０に対してモール３０をスライドさせる方法でもよい。
【００８７】
（自動車ドア用グラスランの使用時）
左側フロントドア１に左側フロントドア用グラスラン１０を取り付ける際には、ウインドフレーム３のグラスラン取付板部８に対して左側フロントドア用グラスラン１０を取り付けると同時に、上板部２１の下側係合突起２１ａと、下板部２２の上側係合突起２２ａが、それぞれ、グラスラン取付板部分８の上面側と下面側に接触する。このようにして左側フロントドア用グラスラン１０が取り付けられた状態では、上板部２１、下板部２２及び車室外側板部２３の曲げ弾性率が２０００ＭＰａ以上５０００ＭＰａ以下とされているので、グラスラン取付板部８に対するグラスラン本体２０の固定強度が高まる。
【００８８】
その後、左側フロントドア１を閉じると、グラスラン本体２０の上側シールリップ２４及び内側シールリップ２５が自動車の車体１００に接触して車室外側に向けて撓むように弾性変形するので、ウインドフレーム３と車体１００との間を上側シールリップ２４及び内側シールリップ２５によってシールすることができる。このとき、上側シールリップ２４の厚肉基端部２４ａの車室外側に上側接触部４０が設けられているので、上側シールリップ２４の撓み変形によって上側接触部４０も車室外側に若干量変位し、これにより、上側接触部４０がモール３０における車室外面の上部により接触する。よって、上側接触部４０とモール３０の間に隙間が無くなり、外観見栄えを良好にすることができる。
【００８９】
（ウエザーストリップの構成）
次に、ウエザーストリップ５０について説明する。図２、図７及び図８等に示すように、ウエザーストリップ５０は、フレーム上辺部３ａの段差部３ｅの下側を構成している横面部３ｇに取り付けられ、該フレーム上辺部３ａに沿って車両前後方向に延びるウエザーストリップ上辺部５１と、該ウエザーストリップ上辺部５１の後端部から下方へ延びるウエザーストリップ後辺部５２とを備えている。さらに、図８に示すように、ウエザーストリップ５０は、ウエザーストリップ上辺部５１の前端部から下方へ延びるウエザーストリップ前辺部５３と、ウエザーストリップ後辺部５２の下端部からウエザーストリップ前辺部の下端部まで延びるウエザーストリップ下辺部５４も備えている。従って、ウエザーストリップ５０は、左側フロントドア１の車室内側の周縁部を囲む環状をなしている。
【００９０】
また、ウエザーストリップ上辺部５１とウエザーストリップ後辺部５２の接続部である、ウエザーストリップ後側コーナー部５５は、ドアフレーム３の後側の湾曲している部分に取付けられている。また、ウエザーストリップ上辺部５１とウエザーストリップ前辺部５３の接続部である、ウエザーストリップ前側コーナー部５６は、ドアフレーム３の前側の湾曲している部分に取付けられている。さらに、車両によっては、ドアフレーム３の前側や後側の部分において、比較的大きい湾曲部で構成する代りに、角度をつけて互いに突合せするものも存在するが、一般的に、ヒドンタイプ車両においては、湾曲部で構成するものが多いため、ウエザーストリップ５０は、環状のほぼ全周を押出成形により作成した、押出成形断面で構成し、エンドレス環状にするための、両端部接続部Ｌを、一箇所（例えば、ウェザーストリップ下辺部５４）のみで設定することが多い。
【００９１】
図６及び図７に示すように、ウエザーストリップ上辺部５１は、中空シール部５７と、外側シールリップ５８と、取付板部５９とを備えている。中空シール部５７、外側シールリップ５８及び取付板部５９は、例えば上記ドアパネルシールリップ２６を構成する材料と同様な弾性材料を押出成形することによっても得ることができ、一体成形されている。またさらに、多くの場合は、ウエザーストリップ５０全体を発泡材とし、水密性をより向上させている。
【００９２】
取付板部５９は、フレーム上辺部３ａの段差部３ｅの横面部３ｇに取り付けられる部分であり、横面部３ｇに沿うように延びている。取付板部５９は、図示しないが、例えばクリップや両面接着テープ等によって横面部３ｇに取り付けることができる。クリップを用いる場合には、クリップの頭部を、取付板部５９を貫通させるとともに、横面部３ｇに予め形成してある取付穴に挿入し、取付穴の周縁部に係合させればよい。また、両面接着テープを用いる場合には、両面接着テープを取付板部５９に貼り付け、接着面を横面部３ｇに貼り付けるようにすればよい。また、先に横面部３ｇに両面接着テープを貼り付けるようにして接着してもよい。
【００９３】
中空シール部５７は、取付板部５９の上方かつ車室内側へ向けて膨出するように形成されている。中空シール部５７は、左側フロントドア１が閉状態にあるときに、フレーム上辺部３ａと車体１００との間に配置され、車体１００で圧縮されて弾性変形する。これにより、中空シール部５７が車体１００に密着することになり、シール性を得ることができる。
【００９４】
外側シールリップ５８は、中空シール部５７の車室外側から上方へ突出してグラスラン１０の上板部２１の車室内側である、端面２１やドアパネルシールリップ２６の車室内側に接触する。外側シールリップ５８は、上端部に近づけば近づくほど肉厚が薄く設定されている。
【００９５】
ここで、ウエザーストリップ上辺部５１はフレーム上辺部３ａの段差部３ｅと横面部３ｇに取り付けられているので、横面部３ｇの形状に沿う形状、即ち、ウエザーストリップ上辺部５１の前後方向中央部が前後方向に直線状に延びる一方、図９に示すように、後端部に近づけば近づくほどウインドフレーム３の縦面部３ｆの長さが徐々に長くなる事に伴い、全体的に、下に位置する形状になる。また、グラスラン上辺部１１は、前後方向中央部が前後方向に直線状に延び、更に後端部まで略同一高さで直線状に延びている。
【００９６】
従って、ウエザーストリップ上辺部５１とグラスラン上辺部１１との前後方向中央部が略平行に前後方向に延びることになる一方、ウエザーストリップ上辺部５１は後端部（前後方向の一端部）に近づけば近づくほどグラスラン上辺部１１から下方へ離れる（シール材同士が分かれる状態となる）ように延びることになる（図１０と図１１の関係）。
【００９７】
ウエザーストリップ上辺部５１がグラスラン上辺部１１から下方へ離れると、図１１に示すように、ウエザーストリップ５０の外側シールリップ５８がグラスラン１０の上板部２１の端部２１ｄやドアパネルシールリップ２６から離れてしまい、外側シールリップ５８とドアパネルシールリップ２６との間に溝２００ができ、この溝２００に雨水等が浸入して車室内に漏水するおそれがある。
【００９８】
（ドアパネルシールリップ２６の詳細構造）
本実施形態では、上述した溝２００が形成されないようにするために、図５や図７に示すように、ドアパネルシールリップ２６に徐変部２６Ｂを設けている。すなわち、ドアパネルシールリップ２６は、ウエザーストリップ上辺部５１がグラスラン上辺部１１から下方へ離れはじめる手前の部分から、該ドアパネルシールリップ２６の後端部に近づくほど下方への突出長さが長くなるように形成された徐変部２６Ｂを有していることを特徴としている。ドアパネルシールリップ２６は、徐変部２６Ｂよりも前側の部分（前側部分２６Ａという）と、徐変部２６Ｂよりも後側の部分（後側部分２６Ｃという）とを更に有しており、前側部分２６Ａと後側部分２６Ｃとで下方への突出長さが異なっている。
【００９９】
具体的には、ドアパネルシールリップ２６の後側部分２６Ｃの下方への突出長さが、ドアパネルシールリップ２６の前側部分２６Ａの下方への突出長さよりも長く設定されており、これにより、後側部分２６Ｃの下縁部が前側部分２６Ａの下縁部よりも下に位置することになる。そして、徐変部２６Ｂは、前側部分２６Ａから後側部分２６Ｃまで延びるとともに、前側部分２６Ａと後側部分２６Ｃを繋ぐように前後方向に所定の長さを有している。徐変部２６Ｂの下縁部は後側へ向かって下降傾斜するように延びており、後側部分２６Ｃの下縁部に連続している。徐変部２６Ｂ及び後側部分２６Ｃを設けることにより、外側シールリップ５８とドアパネルシールリップ２６との間の溝２００（図１１に示す）ができなくなり、シール性が高まる。
【０１００】
図８に示すように、ドアパネルシールリップ２６の徐変部２６Ｂは、下方へ延びており、下端部に近づけば近づくほど薄くなるように形成されている。また、ドアパネルシールリップ２６の徐変部２６Ｂは、フレーム上辺部３ａにおける段差部３ｅを構成している縦面部３ｆに対して車室内側から接触するように配置されている。また、図２のXII−XII線断面図である、図１２に示すように、ドアパネルシールリップ２６の後側部分２６Ｃも同様に縦面部３ｆに対して車室内側から接触するように配置されている。
【０１０１】
そして、ドアパネルシールリップ２６の徐変部２６Ｂ及び後側部分２６Ｃは、段差部３ｅを構成している縦面部３ｆと、ウエザーストリップ上辺部５１の外側シールリップ５８とにより厚み方向に挟まれている。これにより、フレーム上辺部３ａの段差部３ｅの縦面部３ｆとドアパネルシールリップ２６との間、ドアパネルシールリップ２６と外側シールリップ５８との間をそれぞれシールすることが可能になる。
【０１０２】
徐変部２６Ｂ及び後側部分２６Ｃを設けることで、図７に仮想線Ｓで示すように、ウエザーストリップ上辺部５１のドアパネルシールリップ２６に対する接触部は、ウエザーストリップ上辺部５１の下方への湾曲形状に沿うように、かつ、前後方向に連続して延びることになる。さらに図５、図７、図１２に示すように、ドアパネルシールリップ２６の後側部分２６Ｃの下端部の高さ位置は、グラスラン取付板部８と、縦面部３ｆを接続する、湾曲部の、下側のＲ止位置（破線Ｒで示す）以下に設定する事が好ましい。このようにする事により、ドアパネルシールリップ２６の後側部分２６Ｃと、縦面部３ｆで構成される、段差を極小化する事ができ、この極小化された段差ラインを、仮想線Ｓが横断する事で、水密性をさらに向上させる事が可能となる。
【０１０３】
また、
図５に示すように、ドアパネルシールリップ２６における徐変部２６Ｂの始点には、該ドアパネルシールリップ２６の下端部から上方に延びる切欠部２６ａが設けられている。切欠部２６ａの代わりに、ドアパネルシールリップ２６の下端部から上方に延びる切れ込み部（図示せず）を設けてもよい。切れ込み部の場合、例えば切断用の刃等によって形成することができる。切欠部２６ａの場合、例えば切断用の刃等によってドアパネルシールリップ２６の一部を除去する方法と、型成形時に切り欠き部を成形する方法とがあり、どちらの方法を用いてもよい。この実施形態では、型成形部１０Ｂに切欠部２６ａが設けられているので、型成形部１０Ｂの成形時に一工程で切欠部２６ａを得ることができる。
【０１０４】
ドアパネルシールリップ２６の徐変部２６Ｂは、断面形状が一様でないことから、押出成形では実現困難であるものの、型成形することにより、下端部に近づけば近づくほど肉厚を薄く設定したり、さらには、下端を極力薄く、鋭利な刃物状にしたりすることもできる。ウエザーストリップ５０全体の取付位置が次第に下がっていき、外側シールリップ５８が接触しなくなる位置での両者間に発生する隙間（シール段差）を、この徐変部２６Ｂを設けることによって極小化または無くすことができ、シール性を更に向上させることが可能となる。
【０１０５】
また、図２のVIII−VIII線断面図である、図８では、少なくとも徐変部２６Ｂは型成形とした方がよいが、下板部２１よりも下の部分も、車体形状に沿わせるために、型成形してもよい。図１２で示す部分についても図８と同様にすることができる。
【０１０６】
（実施形態の作用効果）
以上説明したように、この実施形態によれば、ウインドフレーム３のグラスラン取付板部８に対して車室外側からグラスラン上辺部１１を取り付けることができ、また、ウインドフレーム３のグラスラン取付板部８よりも車室内側にウエザーストリップ上辺部５１を取り付けることができる。
【０１０７】
ウエザーストリップ上辺部５１とグラスラン上辺部１１との前後方向中央部は略平行に車両前後方向に延びているので、ウエザーストリップ上辺部５１の外側シールリップ５８と、グラスラン上辺部１１のドアパネルシールリップ２６における徐変部２６Ｂ及び後側部分２６Ｃとが接触して止水性を確保できる。一方、ウエザーストリップ上辺部５１は、端部に近づけば近づくほどグラスラン上辺部１１から下方へ離れるように延びており、この形状に対応するように、ドアパネルシールリップ２６の徐変部２６Ｂを設けることができる。よって、ドアパネルシールリップ２６徐変部２６Ｂ及び後側部分２６Ｃと、ウエザーストリップ上辺部５１の外側シールリップ５８とが接触して止水性を確保できる。
【０１０８】
（その他の実施形態）
上述の実施形態はあらゆる点で単なる例示に過ぎず、限定的に解釈してはならない。さらに、特許請求の範囲の均等範囲に属する変形や変更は、全て本発明の範囲内のものである。
【０１０９】
本発明は、詳細な説明は省略するが、フロントドアの前側コーナー部においても、同様に適用することができる。すなわち、グラスラン１０とウエザーストリップ後コーナー部同士が分かれた状態になる取付構造は、グラスラン１０とウエザーストリップ前コーナー部５６との間でも、同様な状態の取付構造となるからである。
【０１１０】
また、本発明は、図示しないが、例えばリヤドアにも適用することもできる。すなわち、リヤドアの場合、ウインドフレームの上辺部においては、グラスランが車両前側へ直線的に延びる一方、ウエザーストリップはウインドフレームの前端へ行くほど下に位置するように湾曲しながら延びるのが一般的であるので、上述したような溝ができてしまい、雨水等が車室内に漏水するおそれがある。本発明を適用することで、グラスラン上辺部のドアパネルシールリップに徐変部を設けることができ、これにより、ウエザーストリップ上辺部の外側シールリップと、グラスラン上辺部のドアパネルシールリップの徐変部及び後側部分とが接触して止水性を確保できるとともに、ドアパネルシールリップの徐変部及び後側部分と、ウエザーストリップ上辺部の外側シールリップとが接触して止水性を確保できる。
【産業上の利用可能性】
【０１１１】
以上説明したように、本発明に係る自動車ドア用シール構造は、自動車のドアにおいて、シール材同士が分かれる状態が発生する全ての部位に適用することができる。
【符号の説明】
【０１１２】
１                フロントドア
３                ウインドフレーム
３ａ              フレーム上辺部
３ｅ              段差部
３ｆ              縦面部
４                ウインドガラス
７                ウインド開口
１０              グラスラン
１０Ａ              押出成形部
１０Ｂ              型成形部
１１              グラスラン上辺部
１４              挿入溝
２０              グラスラン本体
２６              ドアパネルシールリップ
２６Ａ            ドアパネルシールリップの前側部分
２６Ｂ            徐変部
２６Ｃ            ドアパネルシールリップの後側部分
５０              ウエザーストリップ
５１              ウエザーストリップ上辺部
５８            外側シールリップ
【図１】
2020037369.tif 000003
【図２】
2020037369.tif 000004
【図３】
2020037369.tif 000005
【図４】
2020037369.tif 000006
【図５】
2020037369.tif 000007
【図６】
2020037369.tif 000008
【図７】
2020037369.tif 000009
【図８】
2020037369.tif 000010
【図９】
2020037369.tif 000011
【図１０】
2020037369.tif 000012
【図１１】
2020037369.tif 000013
【図１２】
2020037369.tif 000014